(57)【特許請求の範囲】
【請求項１】
吸引風を発生させる電動送風機を内蔵する掃除機本体と、前記掃除機本体に取り付けられ、前記電動送風機で発生された吸引風によって吸引された塵埃を捕集する集塵装置と、を備え、前記集塵装置は、略円筒状の集塵装置本体と、一次フィルター取り付け枠に取り付けられた状態で前記集塵装置本体の内部に配置された一次フィルターと、前記一次フィルターの下部に設けられ前記集塵装置本体の下方に向かって延設された傘状の第１の延出部と、前記一次フィルターと前記第１の延出部との間に設けられた第２の延出部と、から構成されており、
前記第２の延出部は、前記一次フィルター側が凸状となるように湾曲し前記一次フィルターから離れる方向に延出され、かつ前記一次フィルター取り付け枠と前記第１の延出部とで挟持されている電気掃除機。
【請求項２】
前記集塵装置本体と前記一次フィルターとの間には、前記電動送風機で発生された吸引風によって吸引された塵埃を遠心分離する遠心分離空間部が形成されており、前記集塵装置の下方には、前記遠心分離空間部で遠心分離された塵埃を捕集する塵埃蓄積空間部が形成されており、前記集塵装置の内部には、前記遠心分離空間部で遠心分離された塵埃を前記塵埃蓄積空間部へと導く集塵通路が形成されており、前記集塵通路の一部には、前記集塵装置の径方向に向かって幅が広くなる拡大部が形成されている請求項１に記載の電気掃除機。
【発明の詳細な説明】
【技術分野】
【０００１】
本発明は、集塵装置を有する電気掃除機に関する。
【背景技術】
【０００２】
従来、この種の電気掃除機においては、集塵装置の内部に蓄積した塵埃の舞い上がりを防止すべく、集塵装置の内部に配置された一次フィルターの下部に、集塵装置の下方に向かって延出する傘状の延出部を設けた構成が提案されている（例えば、特許文献１参照）。
【０００３】
すなわち、図８に示すように、従来の電気掃除機（図示せず）の集塵装置２００は、ダストボックス本体２０１と、ダストボックス本体２０１の上面を塞ぐように構成されたカバー２０２と、カバー２０２に備え付けられたハンドル体２０３と、ダストボックス本体２０１の下面を塞ぐように設けられたフタ２０４と、から構成されている。また、ダストボックス本体２０１内には、ダストボックス本体２０１と略同心状に配置された一次フィルター２０５が設けられており、この一次フィルター２０５の下方には、傘状の延出部２０６が配置されている。さらに、ダストボックス本体２０１と一次フィルター２０５の外周との間には、ダストボックス本体２０１に設けられた吸気口（図示せず）からダストボックス本体２０１内に流入した塵埃を遠心分離するサイクロン空間２０７が形成されているとともに、ダストボックス本体の下部には、サイクロン空間２０７で遠心分離された塵埃を蓄積する塵埃蓄積空間２０８が形成されている。また、ダストボックス本体２０１と延出部２０６との間には、サイクロン空間２０７で遠心分離された塵埃を塵埃蓄積空間２０８へと導く集塵通路２０９が形成されている。
【０００４】
従来の電気掃除機（図示せず）においては、電気掃除機（図示せず）の運転が開始されると、掃除機本体（図示せず）に内蔵された電動送風機（図示せず）で吸引風が発生され、被清掃面の塵埃がダストボックス本体２０１の吸気口（図示せず）からダストボックス本体２０１の内部に吸引風とともに流入する。ダストボックス本体２０１内に流入した塵埃を含む吸引風は、塵埃がサイクロン空間２０７で遠心分離され、その後、一次フィルター２０５の内部へと流入し、集塵装置２００の外部へと放出される。また、サイクロン空間２０７で吸引風から遠心分離された塵埃は、集塵通路２０９を介して塵埃蓄積空間２０８へと流入し、塵埃蓄積空間２０８に蓄積される。このとき、塵埃蓄積空間２０８に蓄積した塵埃には、電動送風機（図示せず）で発生した吸引風によって、サイクロン空間２０７側へと舞い戻ろうとする現象が生じる。そこで、従来の電気掃除機（図示せず）の集塵装置２００においては、一次フィルター２０５の下方に傘状の延出部２０６を配置することで、サイクロン空間２０７から集塵通路２０９を介して塵埃蓄積空間２０８に流入した吸引風の一部によって、塵埃蓄積空間２０８に蓄積した塵埃を圧縮し、塵埃蓄積空間２０８に蓄積した塵埃がサイクロン空間２０７へ舞い戻ることを防止するように構成している。
【先行技術文献】
【特許文献】
【０００５】
【特許文献１】特開２０１１−１１０２３５号公報
【発明の概要】
【発明が解決しようとする課題】
【０００６】
しかしながら、上記従来の電気掃除機の集塵装置においては、集塵装置の内部に蓄積された塵埃の舞い上がりを確実に防止するという観点からは未だ改善の余地があった。
【０００７】
すなわち、従来の電気掃除機の集塵装置においては、塵埃蓄積空間に流入した吸引風は、一次フィルターの下部に形成された延出部の内側及び外側の形状に沿って一次フィルター側へと移動し、一次フィルターの内部へと流入する。一般的に、集塵装置の塵埃蓄積空間に蓄積している塵埃中には、砂などの細塵や綿ごみなどの粗塵のほか、犬や猫などのペットの毛や人の髪の毛などの質量が軽く、長さが長い塵埃など、様々な種類の塵埃が含まれている。そのため、塵埃の種類によっては、塵埃蓄積空間に流入した吸引風で圧縮されにくい場合があり、特に、ペットの毛や人の髪の毛などの質量が軽く、長さが長い塵埃は、塵埃蓄積空間に流入した吸引風で圧縮されにくく、塵埃蓄積空間に流入した吸引風とともに一次フィルター側へと移動し、一次フィルターに巻きついてしまう場合があった。
【０００８】
本発明は、上記従来技術の有する課題に鑑みてなされたものであり、集塵装置の内部に蓄積された塵埃の舞い上がりを確実に防止することができる電気掃除機を提供することを目的とする。
【課題を解決するための手段】
【０００９】
上記従来技術の有する課題を解決するために、本発明は、吸引風を発生させる電動送風機を内蔵する掃除機本体と、前記掃除機本体に取り付けられ、前記電動送風機で発生された吸引風によって吸引された塵埃を捕集する集塵装置と、を備え、前記集塵装置は、略円筒状の集塵装置本体と、一次フィルター取り付け枠に取り付けられた状態で前記集塵装置本体の内部に配置された一次フィルターと、前記一次フィルターの下部に設けられ前記集
塵装置本体の下方に向かって延設された傘状の第１の延出部と、前記一次フィルターと前記第１の延出部との間に設けられた第２の延出部と、から構成されており、前記第２の延出部は、前記一次フィルター側が凸状となるように湾曲し前記一次フィルターから離れる方向に延出され、かつ前記一次フィルター取り付け枠と前記第１の延出部とで挟持されている電気掃除機を提供する。
【００１０】
これにより、一次フィルターの下部に傘状の第１の延出部を形成するとともに、一次フィルターと第１の延出部との間に第２の延出部を形成することで、塵埃蓄積空間部に流入した吸引風とともに塵埃蓄積空間部から遠心分離空間部へと舞い戻ろうとする塵埃を一次フィルターから離れる方向、すなわち、遠心分離空間部の旋回気流の流速が速い領域に導き、塵埃蓄積空間部から遠心分離空間部へ舞い戻ろうとする塵埃を、遠心分離空間部から塵埃蓄積空間部へと流れる塵埃とともに塵埃蓄積空間部へと流入させ、塵埃蓄積空間部に蓄積された塵埃が遠心分離空間部側へと舞い戻り、一次フィルターに付着することを防止することができる。
また、第２の延出部を一次フィルター側が凸状となるように湾曲して形成しているため、第２の延出部の内側で塵埃蓄積空間部方向への下方に向かう空気の流れをさらに発生させることができるため、この塵埃蓄積空間部方向への下方に向かう空気の流れにより、塵埃蓄積空間部に蓄積された塵埃が遠心分離空間部側へと舞い戻り、一次フィルターに付着することをさらに防止することができる。
【発明の効果】
【００１１】
本発明の電気掃除機によれば、一次フィルターと第１の延出部との間に設けた第２の延出部により、集塵装置内に蓄積された塵埃のうち、電動送風機で発生された吸引風によって、第１の延出部の内側及び外側に沿って一次フィルター側に導かれた塵埃を一次フィルターから離れる方向へと導くことができるため、集塵装置の内部に蓄積された塵埃が一次フィルター側へと舞い上がり、一次フィルターに付着することを十分に防止することができるようになる。
【図面の簡単な説明】
【００１２】
【図１】本発明の電気掃除機の実施の形態１における電気掃除機の全体斜視図
【図２】本発明の電気掃除機の実施の形態１における掃除機本体及び集塵装置の全体断面図
【図３】本発明の電気掃除機の実施の形態１における集塵装置を取り外した状態での掃除機本体の全体斜視図
【図４】本発明の電気掃除機の実施の形態１における集塵装置の前方斜視図
【図５】本発明の電気掃除機の実施の形態１における集塵装置の後方斜視図
【図６】図４に示した集塵装置のＡ−Ａ線での断面図
【図７】図５に示した集塵装置のＢ−Ｂ線での断面図
【図８】従来の電気掃除機の集塵装置の中央断面図
【発明を実施するための形態】
【００１３】
第１の発明は、吸引風を発生させる電動送風機を内蔵する掃除機本体と、前記掃除機本体に取り付けられ、前記電動送風機で発生された吸引風によって吸引された塵埃を捕集する集塵装置と、を備え、前記集塵装置は、略円筒状の集塵装置本体と、一次フィルター取り付け枠に取り付けられた状態で前記集塵装置本体の内部に配置された一次フィルターと、前記一次フィルターの下部に設けられ前記集塵装置本体の下方に向かって延設された傘状の第１の延出部と、前記一次フィルターと前記第１の延出部との間に設けられた第２の延出部と、から構成されており、前記第２の延出部は、前記一次フィルター側が凸状となるように湾曲し前記一次フィルターから離れる方向に延出され、かつ前記一次フィルター取り付け枠と前記第１の延出部とで挟持されている電気掃除機としたものである。
【００１４】
これにより、一次フィルターの下部に傘状の第１の延出部を形成するとともに、一次フィルターと第１の延出部との間に第２の延出部を形成することで、塵埃蓄積空間部に流入した吸引風とともに塵埃蓄積空間部から遠心分離空間部へと舞い戻ろうとする塵埃を一次フィルターから離れる方向、すなわち、遠心分離空間部の旋回気流の流速が速い領域に導き、塵埃蓄積空間部から遠心分離空間部へ舞い戻ろうとする塵埃を、遠心分離空間部から
塵埃蓄積空間部へと流れる塵埃とともに塵埃蓄積空間部へと流入させ、塵埃蓄積空間部に蓄積された塵埃が遠心分離空間部側へと舞い戻り、一次フィルターに付着することを防止することができる。
また、第２の延出部を一次フィルター側が凸状となるように湾曲して形成しているため、第２の延出部の内側で塵埃蓄積空間部方向への下方に向かう空気の流れをさらに発生させることができるため、この塵埃蓄積空間部方向への下方に向かう空気の流れにより、塵埃蓄積空間部に蓄積された塵埃が遠心分離空間部側へと舞い戻り、一次フィルターに付着することをさらに防止することができる。
【００２５】
第２の発明は、特に、第１または第２の発明において、集塵装置本体と一次フィルターとの間には、電動送風機で発生された吸引風によって吸引された塵埃を遠心分離する遠心分離部が形成されており、集塵装置の下方には、遠心分離部で遠心分離された塵埃を捕集する塵埃蓄積部が形成されており、集塵装置の内部には、遠心分離部で遠心分離された塵埃を塵埃蓄積部へと導く集塵通路が形成されており、集塵通路の一部には、集塵装置の径方向に向かって幅が広くなる拡大部が形成されている構成としたものである。
【００２６】
これにより、遠心分離空間部に体積の大きな塵埃が流入した場合であっても、体積の大きな塵埃を拡大部から塵埃蓄積部に容易に導くことができるため、集塵装置の内部で塵埃が詰まることがなく、電気掃除機の使い勝手を向上させることができる。
【００２７】
以下、図面を参照しながら本発明の電気掃除機の好適な実施の形態について詳細に説明する。なお、以下の説明では、同一または相当部分には同一符号付し、重複する説明は省略する。
【００２８】
（実施の形態１）
本発明の電気掃除機の実施の形態１について、図１〜図７を用いて説明する。
【００２９】
図１は、本発明の電気掃除機の実施の形態１における電気掃除機の全体斜視図である。また、図２は、本発明の電気掃除機の実施の形態１における掃除機本体及び集塵装置の全体断面図である。さらに、図３は、本発明の電気掃除機の実施の形態１における集塵装置を取り外した状態での掃除機本体の全体斜視図である。また、図４は、本発明の電気掃除機の実施の形態１における集塵装置の前方斜視図である。さらに、図５は、本発明の電気掃除機の実施の形態１における集塵装置の後方斜視図である。また、図６は、図４に示した集塵装置のＡ−Ａ線での断面図である。さらに、図７は、図５に示した集塵装置のＢ−Ｂ線での断面図である。
【００３０】
図１に示すように、電気掃除機１００は、吸引風を発生させる電動送風機（図示せず）を内蔵する掃除機本体１と、掃除機本体１に着脱自在に接続される集塵装置２と、被清掃面の塵埃を吸引する吸込具３と、一端が吸込具３に着脱自在に接続される伸縮自在或いは継ぎ自在の延長管４と、一端が延長管４の他端に着脱自在に接続され、他端が掃除機本体１に設けられた吸入口１ａに着脱自在に接続されるホース５、とから構成されている。
【００３１】
吸込具３には、被清掃面の塵埃を掻きあげる回転ブラシ（図示せず）と、回転ブラシ（図示せず）を回転駆動する電動機（図示せず）と、が内蔵されている。また、ホース５の延長管４側の端部には、掃除の際に使用者が保持する把手部６を有する先端パイプ７が設けられており、この先端パイプ７を介して延長管４とホース５とが着脱自在に接続されている。さらに、ホース５の掃除機本体１側の端部には、接続パイプ８が設けられており、この接続パイプ８を介して掃除機本体１の吸入口１ａとホース５とが着脱自在に接続されている。
【００３２】
図２及び図３に示すように、掃除機本体１の後部には、吸引風を発生させる電動送風機９を内蔵する電動送風機室１０と、商用電源に接続される電源コード（図示せず）を巻き取る電源コード巻取り装置（図示せず）が配置されている。また、掃除機本体１の後部には、電動送風機９から排出された排気風を掃除機本体１の外部へと排出する排気口１ｂが形成されている。
【００３３】
掃除機本体１の前部には、電動送風機９で発生された吸引風によって吸引された塵埃を分離及び捕集する集塵装置２が着脱自在に取り付けられる集塵装置収納部１１が配置されている。集塵装置収納部１１の下部には、電動送風機９から排出された排気風が流入する
空間部１２が形成されている。また、電動送風機室１０と空間部１２との間には、電動送風機９から排出された排気風が通過する排気フィルター１３が配置されている。図２中の矢印Ｘで示すように、電動送風機９から排出された排気風は、排気フィルター１３、空間部１２、及び、電動送風機室１０を介して排気口１ｂから掃除機本体１の外部へと排出される。
【００３４】
集塵装置収納部１１の中央部、すなわち、掃除機本体１の前方の集塵装置２と対向する面の中央部には、掃除機本体１の前部に設けられた吸入口１ａと連通するとともに、後述する集塵装置２の流入口２３ａと連通する排出口１４が設けられている。また、吸入口１ａと排出口１４との間には、吸入口１ａと排出口１４とを連通する連通風路１５が形成されている。また、排出口１４には、集塵装置２が掃除機本体１の集塵装置収納部１１に取り付けられた状態において、排出口１４と後述する集塵装置２の流入口２３ａとの気密性を保持する第１のシール部材１６が設けられている。
【００３５】
また、集塵装置収納部１１の上部、すなわち、掃除機本体１の前方の集塵装置２と対向する面の上部には、後述する集塵装置２の流出口２９ａと連通するとともに、電動送風機９の吸気口（図示せず）と連通する連通口１７が形成されており、連通口１７と電動送風機９の吸気口（図示せず）との間には、連通口１７と電動送風機９の吸気口（図示せず）とを連通する吸気通路１８が形成されている。また、連通口１７には、集塵装置２が掃除機本体１の集塵装置収納部１１に取り付けられた状態において、連通口１７と後述する集塵装置２の流出口２９ａとの気密性を保持する第２のシール部材１９が設けられている。
【００３６】
掃除機本体１の後方の下部の両側には、１対の走行用の車輪２０が掃除機本体１に回動自在に取り付けられている。また、掃除機本体１の底面の前方には、同じく走行用のキャスター２１が回動自在に配置されている。
【００３７】
掃除機本体１の上部には、使用者が掃除機本体１を持ち運ぶ際に保持する本体ハンドル２２が設けられている。この本体ハンドル２２は、掃除機本体１に集塵装置２が取り付けられた状態で、集塵装置２の上方に位置するように設けられている。また、本体ハンドル２２の掃除機本体１側の両端部には、集塵装置２が掃除機本体１に取り付けられた際に、後述する集塵装置２のハンドル体３５に設けられた係合爪部３５ａと係合する係合凹部２２ａが設けられている。
【００３８】
図４〜図７に示すように、集塵装置２は、両端に開口部（図示せず）を有する略円筒状の集塵装置本体２３と、集塵装置本体２３内の内部に集塵装置本体２３と同心状に配置されており、一次フィルター２４を有する一次フィルター取り付け枠２５と、一次フィルター２４の上方に配置された二次フィルター２６と、一次フィルター２４の下部に設けられた傘状の第１の延出部２７と、一次フィルター２４と第１の延出部２７との間に配置された第２の延出部２８と、集塵装置本体２３に着脱自在に取り付けられており、集塵装置本体２３の上端の開口部（図示せず）及び一次フィルター２４の上面を覆う上蓋体２９と、集塵装置本体２３に回動自在に軸支されており、集塵装置本体２３の下端の開口部（図示せず）を開閉自在に覆う下蓋体３０と、から構成されている。
【００３９】
集塵装置本体２３は、集塵装置本体２３の長手方向の中央部の内径が集塵装置本体２３の長手方向の両端の内径よりも小さくなるように形成されている。また、集塵装置本体２３の後部には、掃除機本体１の集塵装置収納部１１に集塵装置２が取り付けられた状態で、掃除機本体１の排出口１４と連通する流入口２３ａが形成されている。さらに、集塵装置本体２３の後部には、使用者が集塵装置２の内部に付着した塵埃を掃除する際に使用するブラシ体３１を収納するブラシ収納部３２が形成されている。
【００４０】
一次フィルター２４は、金属材料で構成されており、金属表面部分には樹脂などによる凹凸形状を設けない構成とすることで、旋回流が滑らかに流れることになり、分離効率を高めるとともに、塵埃などの巻きつきを軽減する効果を発揮する。なお、一次フィルター２４の表面に研磨処理を施すことによって、その効果を高めることができ、また抗菌処理を施すことによって、一次フィルター２４を清潔に保つことができる。また、一次フィルター２４は、集塵装置本体２３と略同心状に形成された一次フィルター取り付け枠２５に取り付けられた状態で集塵装置本体２３の内部に配置されているとともに、一次フィルター取り付け枠２５が集塵装置本体２３の内部に取り付けられた状態で、一次フィルター２４は集塵装置本体２３の流入口２３ａに対向する位置に位置するように構成されている。
【００４１】
一次フィルター２４の上方、すなわち、一次フィルター取り付け枠２５の上部には、プリーツ状に形成された二次フィルター２６が配置されており、一次フィルター２４を通過した塵埃が二次フィルター２６によって捕集されるように構成されている。また、二次フィルター２６の上部には、二次フィルター２６に付着した塵埃を除塵する除塵部３３と、除塵部３３を駆動させる駆動部３４と、が配置されている。除塵部３３は、二次フィルター２６の上面と当接するように二次フィルター２６と上蓋体２９との間に配置されており、駆動部３４は、上蓋体２９の内部に配置されている。
【００４２】
上蓋体２９は、集塵装置本体２３内に一次フィルター取り付け枠２５及び二次フィルター２６が取り付けられた状態において、集塵装置本体２３の上端の開口部（図示せず）及び二次フィルター２６の上面を覆うように、集塵装置本体２３の上部に設けられている。また、上蓋体２９の上面には、使用者が掃除機本体１から集塵装置２を取り外し、集塵装置２を持ち運ぶ際に使用するハンドル体３５が、上蓋体２９に回動自在に軸支されている。このハンドル体３５の端部には、集塵装置２が掃除機本体１に取り付けられた際に、掃除機本体１の本体ハンドル２２に設けられた係合凹部２２ａと係合する係合爪部３５ａが形成されており、この係合爪部３５ａと係合凹部２２ａとが係合することで、掃除機本体１に集塵装置２が取り付けられる。さらに、上蓋体２９の後部には、掃除機本体１の集塵装置収納部１１に集塵装置２が取り付けられた状態において、掃除機本体１の連通口１７と連通する流出口２９ａが形成されている。また、上蓋体２９の上面の後部には、後述する尾錠部３８と下蓋体３０と係合を解除する操作部３６が配置されている。さらに、上蓋体２９は、集塵装置本体２３の上部に回動自在に設けられた一対のバックル部２３ｂが上蓋体２９のバックル部２３ｂに対応する位置に設けられた係合凸部２９ｂと係合することで、集塵装置本体２３の上部に取り付けられる。
【００４３】
下蓋体３０は、集塵装置本体２３の前方の下部に設けたヒンジ部３７によって集塵装置本体２３に回動自在に取り付けられるとともに、集塵装置本体２３に設けた尾錠部３８によって、集塵装置本体２３の下端の開口部（図示せず）を閉塞した状態で集塵装置本体２３に保持される。また、下蓋体３０の集塵装置本体２３に対向する位置にはパッキン３９が配置されており、このパッキン３９によって、下蓋体３０が集塵装置本体２３の下端の開口部（図示せず）を閉塞した状態で、集塵装置本体２３と下蓋体３０との間の気密性が保持されている。さらに、下蓋体３０は、使用者が操作部３６を操作することで、集塵装置本体２３の後部に設けられたスライダー４０が下方に押し下げられ、このスライダー４０によって尾錠部３８が回動されることで、下蓋体３０と尾錠部３８との係合が解除され、集塵装置本体２３の下端の開口部（図示せず）を開放するように構成されている。
【００４４】
一次フィルター２４の下部には、一次フィルター２４から集塵装置本体２３の下方に向かって延設された傘状の第１の延出部２７が設けられている。第１の延出部２７は、集塵装置本体２３の長手方向の中心軸に対して所定角度傾斜するように一次フィルター２４の下端から集塵装置本体２３の下方に向けた延出された傾斜部２７ａと、集塵装置本体２３の長手方向の中心軸に対して略平行となるように傾斜部２７ａの下端から集塵装置本体２
３の下方に向けて延設された垂直部２７ｂと、を有するとともに、第１の延出部２７と集塵装置本体２３との間、及び、第１の延出部２７の下端と下蓋体３０との間に隙間（図示せず）が形成されるように構成されており、傾斜部２７ａは下方に行くに連れて集塵装置本体２３の径方向に広がるように構成されている。また、第１の延出部２７の内側には、第１の延出部２７の一次フィルター２４側から集塵装置２の下蓋体３０側に向かって延設された略円筒状の内壁部２７ｃが形成されている。さらに、下蓋体３０の内壁部２７ｃの下端と当接する位置には、第３のシール部材３０ａが配置されており、この第３のシール部材３０ａによって、下蓋体３０が集塵装置本体２３の下端の開口部（図示せず）を閉塞した状態で、内壁部２７ｃの下端と下蓋体３０との間の気密性が保持されている。また、第１の延出部２７の一次フィルター２４側の端部には、第１の延出部２７から一次フィルター２４側に向かって延設された嵌合爪部４１が設けられている。また、一次フィルター取り付け枠２５の内部の嵌合爪部４１に対応する位置には、嵌合爪部４１と嵌合する嵌合突起部４２が設けられており、第１の延出部２７は、嵌合爪部４１が嵌合突起部４２と嵌合することで、一次フィルター取り付け枠２５に取り付けられている。
【００４５】
一次フィルター２４と第１の延出部２７との間には、一次フィルター２４から離れる方向に向かって延設された第２の延出部２８が設けられている。また、第２の延出部２８には、第１の延出部２７に設けられた嵌合爪部４１が挿入される嵌合孔部（図示せず）が設けられており、第２の延出部２８は、第１の延出部２７の嵌合爪部４１が第２の延出部２８の嵌合孔部（図示せず）に挿入された状態で、第１の延出部２７の嵌合爪部４１と一次フィルター取り付け枠２５の嵌合突起部４２とが嵌合することで、一次フィルター取り付け枠２５と第１の延出部２７とで挟持されている。さらに、第２の延出部２８は、一次フィルター２４側に向かって凸状となるように所定の曲率で湾曲して形成されている。また、第２の延出部２８は、第２の延出部２８の外周側の端部と集塵装置本体２３との間、及び、第２の延出部２８の外周側の端部と第１の延出部２７との間に隙間（図示せず）が形成されるように構成されている。
【００４６】
以上のように構成された電気掃除機１００について、以下、その動作、作用を説明する。
【００４７】
使用者が把手部６を保持し、電気掃除機１００の運転を開始すると、電動送風機９で吸引風が発生し吸引力が発生する。この状態で、使用者が被清掃面上で吸込具３を動かすと、吸込具３から被清掃面上の塵埃が吸引風とともに吸引される。吸込具３から吸引された塵埃を含む吸引風は、延長管４及びホース５を介して吸入口１ａから掃除機本体１内へと流入する。掃除機本体１内へと流入した塵埃を含む吸引風は、掃除機本体１の内部に形成された連通風路１５を通って排出口１４へと至り、集塵装置２の後部に形成された流入口２３ａから集塵装置２の内部へと流入する。
【００４８】
集塵装置２の内部に流入した塵埃を含む空気は、一次フィルター２４の外周と集塵装置本体２３とで形成される遠心分離空間部４３に流入し、遠心分離空間部４３で発生する旋回流により粗塵や細塵などを含む塵埃と空気とが遠心分離される。遠心分離空間部４３で遠心分離された塵埃は、第１の延出部２７及び第２の延出部２８と集塵装置本体２３との間に形成された集塵通路４４を通り、第１の延出部２７、集塵装置本体２３、及び、下蓋体３０によって集塵装置２の下部に形成された塵埃蓄積空間部４５へと蓄積される。
【００４９】
ここで、図７に示すように、実施の形態においては、遠心分離空間部４３の幅Ｌ１が集塵通路４４の幅Ｌ２よりも大きくなるように形成するとともに、塵埃蓄積空間部４５の内径Ｔ３が遠心分離空間部４３の外径Ｔ２よりも大きくなるように形成している。また、本実施の形態においては、集塵装置本体２３に第１の延出部２７の傾斜部２７ａと略同一の傾斜角度を持ち、下方に行くに連れて径方向に広がる斜面部４６を形成し、第１の延出部
２７の一次フィルター２４側の端部がこの斜面部４６よりも上方に位置するように構成するとともに、第１の延出部２７の下端がこの斜面部４６よりも下方に位置するように構成している。この構成により、遠心分離空間部４３から塵埃蓄積空間部４５に流入する空気の流速を増加させることができるため、遠心分離空間部４３から塵埃蓄積空間部４５に向けて押さえつける力を発生させることができ、塵埃蓄積空間部４５に蓄積した塵埃を圧縮することができるとともに、塵埃蓄積空間部４５に蓄積した塵埃が遠心分離空間部４３に舞い戻ることを防止することができる。
【００５０】
このとき、塵埃蓄積空間部４５に流入した空気は、第１の延出部２７の内面、すなわち、第１の延出部２７の内壁部２７ｃ側の面、及び、第１の延出部２７の外面、すなわち、第１の延出部２７の集塵通路４４側の面に沿って、塵埃蓄積空間部４５から遠心分離空間部４３へと流れる。そのため、塵埃蓄積空間部４５に蓄積した塵埃も塵埃蓄積空間部４５から遠心分離空間部４３へと流れる空気によって、塵埃蓄積空間部４５から遠心分離空間部４３へと導かれてしまい、一次フィルター２４に付着してしまう。
【００５１】
そこで、本実施の形態においては、一次フィルター２４の下部に第１の延出部２７を形成するとともに、一次フィルター２４と第１の延出部２７との間に第２の延出部２８を形成することで、塵埃蓄積空間部４５に流入した吸引風とともに塵埃蓄積空間部４５から遠心分離空間部４３へと舞い戻ろうとする塵埃を一次フィルター２４から離れる方向、すなわち、遠心分離空間部４３の旋回気流の流速が速い領域に導き、塵埃蓄積空間部４５から遠心分離空間部４３へ舞い戻ろうとする塵埃を、遠心分離空間部４３から塵埃蓄積空間部４５へと流れる塵埃とともに塵埃蓄積空間部４５へと流入させ、塵埃蓄積空間部４５に蓄積された塵埃が遠心分離空間部４３側へと舞い戻り、一次フィルター２４に付着することを防止することができる。
【００５２】
また、本実施の形態においては、第２の延出部２８を一次フィルター２４側が凸状となるように所定の曲率で湾曲して形成しているため、第２の延出部２８の内側で塵埃蓄積空間部４５へ向かう空気の流れをさらに発生させることができるため、この塵埃蓄積空間部４５に向かう空気の流れにより、塵埃蓄積空間部４５に蓄積された塵埃が遠心分離空間部４３側へと舞い戻り、一次フィルター２４に付着することをさらに防止することができる。
【００５３】
遠心分離空間部４３で塵埃が遠心分離された空気は、一次フィルター２４を通過し、その後、二次フィルター２６を通過することで、遠心分離空間部４３で遠心分離されず、空気とともに一次フィルター２４を通過した塵埃が二次フィルター２６で捕集される。そして、塵埃を含まない空気のみが二次フィルター２６を通過し、集塵装置２の流出口２９ａから集塵装置２の外部へと排出される。集塵装置２から排出された空気は、掃除機本体１に設けられた連通口１７から掃除機本体１の内部へと流入するとともに、吸気通路１８を介して電動送風機９の吸気口（図示せず）から電動送風機９の内部へと流入する。そして、電動送風機９の内部へと流入した空気は、電動送風機９の外部へと排出され、その後、排気フィルター１３、空間部１２、及び、電動送風機室１０を介して排気口１ｂから掃除機本体１の外部へと排出される。
【００５４】
二次フィルター２６で捕集された塵埃は、電動送風機９の運転停止時に、二次フィルター２６の上方に設けられた除塵部３３に駆動部３４から振動が与えられることによって、二次フィルター２６から剥離する。そして剥離した細塵は、一次フィルター取り付け枠２５より内側の空間を通り、一次フィルター２４の下方でかつ第１の延出部２７の内側に設けた内壁部２７ｃの内部へと蓄積される。
【００５５】
集塵装置２内に蓄積した塵埃を捨てる場合、使用者が集塵装置２の上蓋体２９に設けら
れたハンドル体３５を上方へ回動させると、ハンドル体３５の端部に設けられた係合爪部３５ａと本体ハンドル２２に設けられた係合凹部２２ａとの係合が解除され、集塵装置２を掃除機本体１から取り外すことができる。そして、集塵装置２を掃除機本体１から取り外した後、使用者は、操作部３６を操作し、スライダー４０を下方に押し下げ、尾錠部３８を回動させ、下蓋体３０と尾錠部３８との係合を解除することで、集塵装置２内に蓄積した塵埃を集塵装置本体２３の下端の開口部（図示せず）から集塵装置２の外部へと排出することができる。
【００５６】
また、本実施の形態においては、遠心分離空間部４３の外径Ｔ２が第１の延出部２７の最大外径Ｔ１よりも大きく形成されているため、使用者が一次フィルター２４をブラシ体３１で掃除する際に、集塵装置２から一次フィルター２４を容易に取り外すことができるため、集塵装置２の使い勝手を向上させることができる。
【００５７】
さらに、本実施の形態においては、図６に示すように、集塵通路４４の一部に集塵通路４４の幅Ｌ２よりも大きな幅Ｌ３を有する拡大部４７を形成しているため、集塵装置２内に体積の大きな塵埃が流入した場合であっても、集塵通路４４の幅Ｌ２よりも大きな幅Ｌ３を有する拡大部４７から体積の大きな塵埃を塵埃蓄積空間部４５に流入させることができるため、遠心分離空間部４３に体積の大きな塵埃が詰まることがなく、集塵装置２の使い勝手を向上させることができる。
【産業上の利用可能性】
【００５８】
本発明の電気掃除機は、集塵装置の内部に蓄積された塵埃の舞い上がりを確実に防止することができるようになるため、家庭用電気掃除機及び産業用電気掃除機の分野・用途に好適に適用することができる。
【符号の説明】
【００５９】
１ａ  吸入口
１ｂ  排気口
２  集塵装置
３  吸込具
４  延長管
５  ホース
６  把手部
７  先端パイプ
８  接続パイプ
９  電動送風機
１０  電動送風機室
１１  集塵装置収納部
１２  空間部
１３  排気フィルター
１４  排出口
１５  連通風路
１６  第１のシール部材
１７  連通口
１８  吸気通路
１９  第２のシール部材
２０  車輪
２１  キャスター
２２  本体ハンドル
２２ａ  係合凹部
２３  集塵装置本体
２３ａ  流入口
２３ｂ  バックル部
２４  一次フィルター
２５  一次フィルター取り付け枠
２６  二次フィルター
２７  第１の延出部
２７ａ  傾斜部
２７ｂ  垂直部
２７ｃ  内壁部
２８  第２の延出部
２９  上蓋体
２９ａ  流出口
２９ｂ  係合凸部
３０  下蓋体
３０ａ  第３のシール部材
３１  ブラシ体
３２  ブラシ収納部
３３  除塵部
３４  駆動部
３５  ハンドル体
３５ａ  係合爪部
３６  操作部
３７  ヒンジ部
３８  尾錠部
３９  パッキン
４０  スライダー
４１  嵌合爪部
４２  嵌合突起部
４３  遠心分離空間部
４４  集塵通路
４５  塵埃蓄積空間部
４６  斜面部
４７  拡大部
１００  電気掃除機
【図１】
0005828135.tif 000002
【図２】
0005828135.tif 000003
【図３】
0005828135.tif 000004
【図４】
0005828135.tif 000005
【図５】
0005828135.tif 000006
【図６】
0005828135.tif 000007
【図７】
0005828135.tif 000008
【図８】
0005828135.tif 000009